(57)【要約】【課題】本発明は、提供情報の提供側の意図に反することなく提示処理に要する処理時間を短縮することができる。【解決手段】本発明の情報表示端末２２は、提示情報に基づく表示画面データを生成する際の提示処理能力を計測し、表示画面の構成を表す構成情報を取得する際に変更可否情報ＹＮを受信し、提示処理能力に基づいて表示画面データを生成する処理を軽減すべきか否かを判別し、軽減すべきと判別した場合には、変更可否情報ＹＮに示された変更フラグに従って提示情報の表示内容を決定するようにする。【選択図】図５
2008176649.tif 000002
【特許請求の範囲】
【請求項１】
提示情報の提示処理能力を計測する能力計測部と、
上記提示情報の変更可否を示す変更可否情報を外部から受信する受信部と、
上記提示処理能力と上記変更可否情報とに応じて、上記提示情報の提示内容を決定する決定部と
を具えることを特徴とする情報処理装置。
【請求項２】
上記変更可否情報は、
上記提示情報に対する上記変更可否として、当該提示情報の代替の可否又は省略の可否を示す
ことを特徴とする請求項１に記載の情報処理装置。
【請求項３】
上記受信部は、
上記決定部が上記提示情報を省略すること決定した場合には、上記提示情報を上記外部から受信しないようにする
ことを特徴とする請求項２に記載の情報処理装置。
【請求項４】
上記変更可否情報は、
上記提示情報に対する上記変更可否として、当該提示情報が代替可能であることを示す場合、上記提示情報の代替となる代替提示情報に関する代替関連情報を含む
ことを特徴とする請求項１に記載の情報処理装置。
【請求項５】
上記代替提示情報に関する上記代替関連情報は、
上記代替提示情報に対する上記外部の取得先を表す取得先情報であり、
上記受信部は、
上記決定部が上記提示情報の代替を決定したときには、上記取得先情報に基づいて上記代替提示情報を上記外部から受信する
ことを特徴とする請求項４に記載の情報処理装置。
【請求項６】
上記変更可否情報は、
上記提示情報の上記変更可否として、当該提示情報の代替の可否又は省略の可否を示すと共に、上記提示情報の提示の優先度を示し、
上記決定部は、
上記提示処理能力と上記変更可否情報とに基づいて、上記提示情報の提示内容を決定する
ことを特徴とする請求項１に記載の情報処理装置。
【請求項７】
上記能力計測部は、
上記受信部により上記変更可否情報が受信されるときに上記提示処理能力を計測する
ことを特徴とする請求項２に記載の情報処理装置。
【請求項８】
上記能力計測部は、
定期的に上記提示処理能力を計測する
ことを特徴とする請求項１に記載の情報処理装置。
【請求項９】
上記受信部は、
上記提示情報を有する画面の構成を表す構成情報に含まれた上記変更可否情報を、当該構成情報として上記外部から受信する
ことを特徴とする請求項１に記載の情報処理装置。
【請求項１０】
上記受信部は、
上記提示情報を有する画面の構成を表す構成情報と共に、当該構成情報に付加された上記変更可否情報を上記外部から受信する
ことを特徴とする請求項１に記載の情報処理装置。
【請求項１１】
上記受信部は、
画面を構成する複数の上記提示情報に対応する複数の上記変更可否情報を上記外部から受信し、
上記決定部は、
上記提示処理能力と複数の上記変更可否情報とに基づいて、上記画面内で上記提示情報ごとに提示内容を変更するか否かを決定する
ことを特徴とする請求項１に記載の情報処理装置。
【請求項１２】
上記受信部は、
画面を構成する複数の上記提示情報に対応する複数の上記変更可否情報を上記外部から受信し、
上記決定部は、
上記提示処理能力と複数の上記変更可否情報とに基づいて、上記画面内で上記提示処理能力を満たすように選択した上記提示情報の提示内容を変更するように決定する
ことを特徴とする請求項１に記載の情報処理装置。
【請求項１３】
提示情報の提示処理能力を計測し、また上記提示情報の変更可否を示す変更可否情報を外部から受信する計測受信ステップと、
上記提示処理能力と上記変更可否情報とに応じて、上記提示情報の提示内容を決定する決定ステップと
を具えることを特徴とする情報提示方法。
【請求項１４】
コンピュータに対して、
提示情報の提示処理能力を計測し、また上記提示情報の変更可否を示す変更可否情報を外部から受信する計測受信ステップと、
上記提示処理能力と上記変更可否情報とに応じて、上記提示情報の提示内容を決定する決定ステップと
を実行させることを特徴とする情報提示プログラム。
【発明の詳細な説明】
【技術分野】
【０００１】
本発明は、情報処理装置、情報提示方法及び情報提示プログラムに関し、例えば情報提供装置から提供される提示情報を情報表示装置によって表示する情報提供表示システムに適用して好適なものである。
【背景技術】
【０００２】
従来、情報処理装置では、インターネット等のネットワークを介し、情報提供装置に対してユーザが要求する提示情報（例えばホームページ）の取得を要求することで、当該提示情報をダウンロードしてユーザに提示していた。
【０００３】
近年、情報提供装置の能力やネットワーク環境の向上により、情報提供装置が提供する提示情報のデータ量が増大している。しかしながら、情報処理装置の処理能力は情報処理装置ごとにそれぞれ異なっており、処理能力の低い情報処理装置では、提示情報の取得を要求してから当該提示情報をユーザに提示するまでの提示処理に比較的長い時間を要している。
【０００４】
このため従来の情報処理装置としては、提示情報の取得を要求する際に、予め取得しておいた情報量の少ない簡易な提示情報を取り敢えずユーザに提示し、情報量の多い正規の提示情報を取得してユーザに提示するものがあった（例えば、特許文献１参照）。
【特許文献１】特開２００１−１４８０３３公報
【発明の開示】
【発明が解決しようとする課題】
【０００５】
ところでかかる構成の情報処理装置では、正規の提示情報を要求するときに、その正規の提示情報の情報量が比較的多ければ、取得を取りやめるなどして、予め簡易な提示情報を取得することなく提示処理の処理負荷を低減することができると考えられる。
【０００６】
しかしこの場合、情報処理装置は、提供側の意図をなんら考慮することなく、単に提示処理の処理負荷を軽減するためだけに提示内容を変更しているため、提供側が意図するようには提示情報をユーザに提示し難いという問題があった。
【０００７】
本発明は以上の点を考慮してなされたもので、提供情報の提供側の意図に反することなく提示処理に要する処理時間を短縮し得る情報処理装置、情報提示方法及び情報提示プログラムを提案しようとするものである。
【課題を解決するための手段】
【０００８】
かかる課題を解決するため本発明においては、提示情報の提示処理能力を計測し、また提示情報の変更可否を示す変更可否情報を外部から受信し、提示処理能力と変更可否情報とに応じて、提示情報の提示内容を決定するようにした。
【０００９】
従って本発明では、提示処理能力の低いときに、変更可否情報により変更の許可された提示情報の提示内容を変更して提示処理の処理負荷を減らすことができる。
【発明の効果】
【００１０】
本発明によれば、提示処理能力の低いときに、変更可否情報により変更の許可された提示情報の提示内容を変更して提示処理の処理負荷を減らすことができ、かくして提供情報の提供側の意図に反することなく提示処理に要する処理時間を短縮し得る情報処理装置、情報提示方法及び情報提示プログラムを実現できる。
【発明を実施するための最良の形態】
【００１１】
以下、図面について、本発明の一実施の形態を詳述する。
【００１２】
（１）第１の実施の形態
（１−１）第１の実施の形態による情報提供表示システムの概要
まず、第１の実施の形態の概要を説明する。ちなみにこの概要を説明した後、第１の実施の形態の具体例の説明に移る。
【００１３】
図１において１は、情報提供表示システムを機能ブロックとして示しており、ネットワークＮＴを介して情報提供装置２に接続された情報処理装置３は、提示情報の提示処理能力を計測する能力計測部１１と、情報提供装置２から提示情報の変更可否を示す変更可否情報を受信する受信部１２と、能力計測部１１によって計測した提示処理能力と受信部１２によって受信した変更可否情報に応じて、提示情報の提示内容を決定する決定部１３とを有する。
【００１４】
このように、情報処理装置３は、提示処理能力の低いときに、変更可否情報により変更の許可された提示情報の提示内容を変更して提示処理の処理負荷を減らすことができ、かくして提供情報の提供側の意図に反することなく提示処理に要する処理時間を短縮し得る。
【００１５】
（１−２）第１の実施の形態による情報提供表示システムの詳細構成
次いで図２を用いて、第１の実施の形態による情報提供表示システム２０の機能回路ブロックによる詳細なハードウェア構成を説明する。かかる情報提供表示システム２０は、提示情報を提供する情報提供装置２１と、当該提示情報から表示画面データを生成し、当該表示画面データに基づく表示画面をユーザに対して表示する情報表示端末２２とがネットワークＮＴを介して接続されて構築されている。
【００１６】
情報提供装置２１は、制御部２５が装置全体を統括的に制御すると共に、各種処理を実行する。これにより情報提供装置２１は、データ記憶部３１に記憶されたＡＴＲＡＣ３（Adaptive Transform Acoustic Coding 3）、ＡＡＣ（Advanced Audio Coding）、ＷＭＡ（Windows（登録商標）Media Audio）、ＲｅａｌＡＵＤＩＯ  Ｇ２  Ｍｕｓｉｃ  Ｃｏｄｅｃ、ＭＰ３（MPEG Audio Layer-3）形式等の音楽データや表示画面の構成を表す構成情報、当該表示画面を構成する複数の提示情報などの各種情報を情報表示端末２２に対して送信し得るようになされている。
【００１７】
情報表示端末２２は、制御部２７が装置全体を統括的に制御すると共に、各種処理を実行する。これにより情報表示端末２２は、情報提供装置２１から構成情報、提示情報を取得してこれら構成情報及び提示情報に基づいて、例えば取得可能な音楽データ選択用の表示画面を表示する提示処理を実行する。さらに情報表示端末２２は、ユーザにより表示画面上で所望の音楽データが選定されると、情報提供装置２１から当該音楽データ取得し、当該音楽データを再生し得るようになされている。
【００１８】
すなわち情報表示端末２２の制御部２７は、ユーザの操作部２８を介した操作により、音楽データを取得するための表示画面を表示する旨の要求が行われたことを認識すると、これに応じて、当該表示画面に対応する表示画面の構成を表す構成情報の送信を要求する要求信号を、送信部２９を介して情報提供装置２１に送信する。
【００１９】
情報提供装置２１の制御部２５は、受信部３０を介して情報表示端末２２から要求信号を受信すると、要求された構成情報をデータ記憶部３１から読み出し、送信部３１を介して当該構成情報を情報表示端末２２に送信する。
【００２０】
情報表示端末２２の提示情報取得部４６は、受信部４１を介して情報提供装置２１から構成情報を受信すると、情報提供装置２１又は自己のデータ記憶部４３から当該構成情報に示された提示情報を取得又は読み出す。
【００２１】
そして情報表示端末２２の表示画面データ生成部４７は、提示情報にデコード処理などの画像処理を施すと共に、構成情報に従ってこれらを組み合わせたり重畳するなどして当該提示情報から表示画面データを生成し、当該表示画面データに基づく表示画面を表示部４２に表示することにより、ユーザに対して所望の表示画面を提示するようになされている。
【００２２】
さらに制御部２７は、ユーザの操作部２８を介した操作により、表示画面に表示された一の音楽データを取得（ダウンロード）する旨の要求が行われたことを認識すると、これに応じて、当該音楽データの送信を要求する要求信号を、送信部２９を介して情報提供装置２１に送信する。
【００２３】
情報提供装置２１の制御部２５は、受信部３０を介して情報表示端末２２から要求信号を受信すると、要求された音楽データをデータ記憶部３１から読み出し、送信部３２を介して当該音楽データを情報表示端末２２に送信する。
【００２４】
情報表示端末２２の制御部２７は、受信部４１を介して音楽データを受信すると、当該音楽データをデータ記憶部４３に記憶する。
【００２５】
その後、制御部２７は、操作部２８を介して、データ記憶部４３に記憶した音楽データに対する再生指示がユーザにより行われたことを認識すると、これに応じて、この音楽データをデータ記憶部４３から読み出すと共に、再生部４４によって当該音楽データに対して所定のデコード処理を施させることにより、当該音楽データを再生するようになされている。
【００２６】
かかる構成に加えて、本実施の形態による情報提供表示システム２０では、情報提供装置２１から送信される構成情報に提示情報の変更可否を表す変更可否情報が含まれている。そして情報表示端末２２は、情報表示端末２２の提示処理能力及び変更可否情報に応じて提示情報の提示内容（すなわち表示内容）を変更し得るようになされている。
【００２７】
（１−３）表示画面の表示
まず図３に示すように、情報提供表示システム２０において、情報提供装置２１から送信される構成情報に基づいて、情報表示装置２２が一のアーティストに関するアルバムの一覧を紹介する表示画面（以下、これをアルバム紹介画面と呼ぶ）６１を表示部４２に表示する場合を例にとり説明する。
【００２８】
（１−３−１）表示画面の構成
アルバム紹介画面６１は、表示部４２（図２）の全面に表示されたウィンドウＷＤ（図３）内に表示されており、合計４つのコンポーネントＳＮから構成されている。
【００２９】
背景コンポーネントＳＮａは、アルバム紹介画面６１における背景部分であり、例えばアーティストに関連する絵柄の背景画像である提示情報（以下、これを背景提示情報と呼ぶ）を構成要素として有している。画像コンポーネントＳＮｂは、左上の枠内部分に配置され、枠内一杯に表示されるアーティストの画像である提示情報（以下、これを画像提示情報と呼ぶ）を有している。文字列コンポーネントＳＮｃは、左下の枠内部分に配置され、アーティストを紹介する紹介文としての文字列を提示情報（以下、これを文字列提示情報と呼ぶ）として有していると共に、紹介文の背景を白色とすることで、当該紹介文を読みやすくしている。リストコンポーネントＳＮｄは、右の枠内部分に配置され、アーティストについてのアルバム名を一覧表示するためのリストを提示情報（以下、これをリスト提示情報と呼ぶ）として有していると共に、リストの背景が背景コンポーネントＳＮａの背景画像の色とは異なるように選定され、当該リストを浮き立たせて表示している。
【００３０】
また情報提供装置２１は、データ記憶部３１に表示画面の構成を表す構成情報を記憶している。この構成情報は、例えば図４に示すように、ＸＭＬ（Extensible Markup Language）形式で記載されている。図４では、上述したアルバム紹介画面６１の構成情報（以下、紹介画面構成情報と呼ぶ）６２を示している。
【００３１】
このＸＭＬ形式では、例えば＜screen＞ ＜/screen＞及び＜area＞ ＜/area＞のように、かっこ＜＞内に記載されている同一のワードとスラッシュとが組み合せが、一つの単位でなる各種情報の始まりと終わりを表している。紹介画面構成情報６２では、アルバム紹介画面６１の始まり及び終わりを表す＜screen＞ ＜/screen＞の中に、＜image operation…＞ ＜/image＞、＜area＞ ＜/area＞で表される４つのコンポーネントＳＮの構成要素に関する要素情報ＣＮを有しており、各要素情報ＣＮには、提示情報の取得先を表す取得先情報に加えて、当該提示情報をそのまま提示するか、また代替の提示や提示の省略が可能であるかのような提示情報に対する提示内容の変更の可否を示す変更可否情報が記述されている。
【００３２】
具体的に各要素情報ＣＮには、構成要素である提示情報の取得先情報として、＜url＞と＜/url＞との間にＵＲＬ（Uniform Resource Locator）が示されていると共に、コンポーネントＳＮの背景色や当該提示情報の配置などの構成を表す情報（図示しない）が記述されている。これに加えて各要素情報ＣＮには、変更可否情報として、「“省略”」又は「“代替”」と表現された省略フラグ又は代替フラグと、例えば「priority＝“１”」として表現された提示優先度の値とが含まれており、さらに代替フラグが含まれる要素情報ＣＮには、同じく変更可否情報として、＜代替url＞と＜/代替url＞との間に提示情報の代替となる代替提示情報の取得先情報であるＵＲＬが含まれている。
【００３３】
すなわち図４を模式的に表した図５に示すように、紹介画面構成情報６２は、４つの要素情報ＣＮ（背景要素情報ＣＮａ、画像要素情報ＣＮｂ、文字列要素情報ＣＮｃ及びリスト要素情報ＣＮｄ）から構成されている。各要素情報ＣＮには、アルバム紹介画面６１（図３）の４つのコンポーネントＳＮにそれぞれ対応する構成要素の一つとしての提示情報について、当該提示情報の取得先を表す取得先情報や、提示情報の提供側が提供する変更の可否を表す変更可否情報ＹＮがそれぞれ含まれている。
【００３４】
具体的に背景要素情報ＣＮａは、背景コンポーネントＳＮａに対応する背景提示情報の取得先を表す取得先情報であるＵＲＬを表示用アドレス情報として有している。これに加えて背景要素情報ＣＮａは、背景提示情報に対する変更可否情報ＹＮとして、当該背景提示情報が省略可能であることを表す省略フラグと、提示優先度（例えば「１」）とを有している。ちなみにこの提示優先度は、提示情報の提示内容を変更（省略又は代替）しないでそのまま表示してほしいという提供側の意図の強さ（すなわち当該提示情報についての提示の優先度）を基に、他の提示情報との間での相対値として数値化されたものであり、値が高い程、当該提示情報をそのまま提示してほしいという提供側の意図が強いことを示している。
【００３５】
画像要素情報ＣＮｂは、画像コンポーネントＳＮｂに対応する画像提示情報の表示用アドレス情報に加えて、変更可否情報ＹＮとして、画像提示情報が代替可能であることを表す代替フラグと、提示優先度（例えば「５」）とを有している。さらに画像要素情報ＣＮｂは、画像提示情報の代替となる情報量の少ない代替提示情報に関連する代替関連情報として、代替表示用アドレス情報を有している。この代替表示用アドレス情報は、画像コンポーネントＳＮｂよりも小さいサイズでなる画像である代替画像コンポーネントＤＮｂに対応するため、情報量の少ない代替提示情報の取得先を表す取得先情報である。
【００３６】
文字列要素情報ＣＮｃは、文字列コンポーネントＳＮｃに対応する文字列提示情報の表示用アドレス情報に加えて、変更可否情報ＹＮとしての省略フラグ及び提示優先度（例えば「２０」）を有している。
【００３７】
またリスト要素情報ＣＮｄは、リストコンポーネントＳＮｄに対応するリスト提示情報の表示用アドレス情報に加えて、変更可否情報ＹＮとしての代替フラグ、提示優先度（例えば「５」）及び代替関連情報としての代替表示用アドレス情報を有している。この代替表示用アドレス情報は、当該リストコンポーネントＳＮｄよりも表示されるアルバム名の数を低減させた代替リストコンポーネントＤＮｄに対応するため情報量の少ない代替提示情報の取得先情報である。
【００３８】
このように構成情報における各要素情報ＣＮには、対応する提示情報についての変更可否情報ＹＮとして、変更の可否及び変更内容を示す変更フラグ（省略フラグ又は代替フラグ）や、当該提示情報の提示の優先度を示す提示優先度、当該提示情報の代替としての代替提示情報に関する代替関連情報が含まれている。すなわちこの構成情報の提供側は、変更の可否や、各提示情報間での提示情報の表示内容を変更してほしくない優先度、当該提示情報を変更する場合の指示など、提示情報の表示内容の変更に関する指示を変更可否情報ＹＮとして構成情報に含ませている。この結果、構成情報を受信する情報表示端末２２がこの変更可否情報ＹＮに従って表示内容を変更することにより、情報表示端末２２は提供側の意図に応じた提示内容（すなわち表示内容）でなる表示画面をユーザに提示し得るようになされている。
【００３９】
（１−３−２）表示内容の決定
次に、実際に情報表示端末２２がアルバム紹介画面６１に対応する表示画面データであるアルバム紹介画面データを生成する際に、情報表示端末２２が上述した変更可否情報ＹＮに従って提示情報についての表示内容を決定する表示内容決定処理について説明する。まず情報表示端末２２は、アルバム紹介画面６１の構成を表す紹介画面構成情報６２の送信を情報提供装置２１（図２）に対して要求する旨の要求信号を情報提供装置２１に送信する。
【００４０】
情報提供装置２１は、情報表示端末２２からこの要求信号を受信すると、要求された紹介画面構成情報６２をデータ記憶部３１から読み出し、当該紹介画面構成情報６２を情報表示端末２２に対して送信する。
【００４１】
情報表示端末２２は、紹介画面構成情報６２を受信すると、各要素情報ＣＮに含まれる変更可否情報ＹＮに基づいて提示情報の表示内容を変更するべきか否かを判断する変更判断処理（詳しくは後述する）を決定部４５（図２）によって実行する。ここで情報表示端末２２は、提示情報の表示内容を変更しないと判断した場合、各要素情報ＣＮに含まれる表示用アドレス情報に対応する提示情報を、そのまま提示情報の表示内容とすることを決定する。そして情報表示端末２２は、提示情報取得部４６によって情報提供装置２１に対して表示用アドレス情報に示された各提示情報の送信を要求する要求信号を送信する。
【００４２】
情報提供装置２１は、情報表示端末２２から要求信号を受信すると、要求された提示情報をデータ記憶部３１から読み出し、当該提示情報を情報表示端末２２に送信する。
【００４３】
情報表示端末２２は、情報提供装置２２から提示情報を受信すると、当該提示情報を用いてアルバム紹介画面データを生成し、アルバム紹介画面データに基づくアルバム紹介画面６１（図３）を表示部４２に表示する。
【００４４】
これに対して情報表示端末２２は、提示情報の表示内容を変更するべきと判断した場合には、構成情報を提供した提供側の意図を表す変更可否情報ＹＮに基づいて提示情報の表示内容を変更するようになされている。
【００４５】
すなわち情報表示端末２２の決定部４５（図２）は、提示情報の表示内容を変更するべきと判断し、要素情報ＣＮに当該提示情報を省略しても良いという提供側の意図を表す省略フラグ（図５）が含まれていた場合には、当該提示情報に基づいて表示されるべきコンポーネントＳＮ（図３）の表示を省略することを決定する。
【００４６】
例えば決定部４５は、背景提示情報及び文字列要素情報を変更すべきと判断し、背景要素情報ＣＮａ及び文字列要素情報ＣＮｃ（図５）に省略フラグが含まれている場合には、背景提示情報及び文字列提示情報の表示内容として対応する背景コンポーネントＳＮａ及び文字列コンポーネントＳＮｃの表示を省略することを決定し、提示情報取得部４６による背景提示情報及び文字列提示情報の取得処理（提示情報の要求及び受信）を初めから実行しない。
【００４７】
これにより情報表示端末は、情報提供装置２１に対して使用しない提示情報を要求しないため、ネットワークＮＴの混雑を軽減することができ、結果として他の提示情報を迅速に取得することができる。また情報表示端末２２は、省略の対象となる提示情報について取得処理自体を実行しないため、当該取得処理にかかる自身の処理負荷をも軽減することができ、無駄な処理に時間を要することがない。さらに情報表示端末２２は、省略することが決定された背景提示情報及び文字列提示情報について、提示情報生成部４７による提示情報の画像処理を省略することができる。この結果情報表示端末２２は、省略される提示情報についての提示処理（提示情報の取得及び当該提示情報に基づく表示画面の表示）にかかる負荷を軽減することができるため、ユーザから表示画面を表示する旨の表示要求がなされてから実際に表示部４２に表示画面を表示するまでの所要表示時間を短縮することができる。
【００４８】
また決定部４５は、提示情報の表示内容を変更するべきと判断し、要素情報ＣＮ（図５）に代替情報を表示しても良いという提供側の意図を表す代替フラグが含まれていた場合には、提示情報の表示内容として代替表示用アドレス情報に示された代替提示情報を表示することを決定する。
【００４９】
この代替提示情報は提示情報に比して情報量が少ないため、情報表示端末２２は、提示情報を表示する場合と比較して、提示処理にかかる負荷を低減することができ、所要表示時間を短縮して迅速に表示画面を表示することができる。
【００５０】
例えば決定部４５は、画像提示情報及びリスト提示情報の表示内容を変更するべきと判断し、画像要素情報ＣＮｂ及びリスト要素情報ＣＮｄに代替フラグが含まれている場合には、画像提示情報及びリスト提示情報における表示内容として、代替画像提示情報及び代替リスト提示情報を使用することを決定する。
【００５１】
提示情報取得部４６（図２）は、情報提供装置２１に対して表示内容として表示されることが決定された代替提示情報の送信を要求する要求信号を送信する。この結果情報表示端末２２は、当該要求に応じて情報提供装置２１から送信される代替提示情報を、受信部４１を介して取得すると共に、当該代替提示情報を使用して表示画面データを生成するようになされている。
【００５２】
この結果例えば４つの提示情報全てについて変更するべきと判断された場合、図６に示すようにアルバム紹介画面６１には、背景コンポーネントＳＮａ及び文字列コンポーネントＳＮｃが省略されて表示されず、画像コンポーネントＳＮｂ及びリストコンポーネントＳＮｄの代替として、代替画像提示情報に基づく代替画像コンポーネントＤＮｂ及び代替リスト提示情報に基づく代替リストコンポーネントＤＮｄがそれぞれ表示される。ちなみに代替画像コンポーネントＤＮｂは画像コンポーネントＳＮｂを縮小したものであり、代替リストコンポーネントＤＮｄは一覧表示されるアルバム名の表示数を減少させたものである。
【００５３】
また紹介画面構成情報６２に背景要素情報ＣＮａ（図示せず）に代替フラグ及び代替表示用アドレス情報が含まれており、情報表示端末２２が背景提示情報の表示内容を変更すると判断した場合、情報表示端末２２は、図７に示すようにアルバム紹介画面６１における背景コンポーネントＳＮａの代替として、色のみの指定や画素数の少ない画像データでなる情報量の少ない代替背景提示情報に基づく代替背景コンポーネントＤＮａを表示する。なお図７では、他の提示情報の表示内容を変更しないと判断された場合について示しており、画像提示情報、文字列提示情報及びリスト提示情報に基づく画像コンポーネントＳＮｂ、文字列コンポーネントＳＮｃ及びリストコンポーネントＳＮｄがそれぞれ表示されている。
【００５４】
また情報表示端末２２の決定部４５は、要素情報ＣＮ内に変更しても良いという提供側の意図を表す省略フラグ及び代替フラグのいずれも含まれていなかった場合、対応する提示情報の表示内容として当該提示情報をそのまま表示することを決定する。これにより情報表示端末２２は、提示情報の表示内容を変更したくないという提供側の意図に沿って、そのまま提示情報を表示することができる。
【００５５】
さらに情報表示端末２２の決定部４５は、要素情報ＣＮに代替フラグが含まれているにも拘らず、当該要素情報ＣＮ内に代替提示情報が含まれていない場合、対応する提示情報の表示内容として当該提示情報をそのまま表示することを決定する。これにより情報表示端末２２は、何らかのアクシデントにより代替提示情報の取得先情報が取得できなかった場合であっても、省略されることを回避したいという提供側の意図に反することを防止することができる。
【００５６】
このように情報提供装置２１は、紹介画面構成情報６２に変更可否情報ＹＮとして変更可否を表す変更フラグ（省略フラグ及び代替フラグ）を含めることにより、情報表示端末２２が提示情報の表示内容を変更すべきと判断した場合に、変更可否情報ＹＮに従って情報表示端末２２に提示情報の表示内容を変更させ、情報表示端末２２における提示処理の負荷を軽減させ得るようになされている。
【００５７】
次に、コンポーネントＳＮにリンクが設定されている場合について、図８に示すアルバム紹介画面６３の画像コンポーネントＳＮｂにリンクの設定及びアクション定義がなされているものとして、情報表示端末２２が画像提示情報の表示内容を決定する部分から説明する。
【００５８】
なお、アクション定義とは、定義被対象となるコンポーネントＳＮが指定されたときに何らかのアクション（新規ウィンドウを開いたり、画像の色を変更させたり、音楽を再生させるなど）を実行する旨を規定するプログラムである。すなわち情報表示端末２２は、コンポーネントＳＮがユーザの操作によって指定された場合に、制御部２７によって当該アクション定義に従いアクションを実行するようになされている。ちなみにこのアクション定義は、例えばＪＡＶＡ（登録商標）Ｓｃｒｉｐｔによって記述されている。
【００５９】
例えば図９に示すように紹介画面構成情報６４には、画像コンポーネントＳＮｂに対応する画像要素情報ＣＮｂに提示優先度及び代替フラグが含まれていると共に、画像提示情報の取得先情報としてＵＲＬでなる表示用アドレス情報が指定されている一方、代替画像提示情報の取得先情報として、ＵＲＬではなく、情報表示端末２２のデータ記憶部４３内を示すＵＲＩ（Uniform Resource Identifier）でなる代替表示用アドレス情報が指定されている。
【００６０】
さらに紹介画面構成情報６４では、表示用アドレス情報及び代替表示用アドレス情報にそれぞれ新たなウィンドウを開く旨のアクション定義（図では「新ウィンドウ」と表示）と、当該新たなウィンドウに表示されるリンク提示情報及び代替リンク提示情報についてのリンク用アドレス情報及び代替リンク用アドレス情報がそれぞれ対応付けられている。また、背景要素情報ＣＮａ、文字列要素情報ＣＮｃ及びリンク要素情報ＣＮｄについては図５と同一なため、説明を省略する。
【００６１】
この場合情報表示端末２２は、画像提示情報の表示内容を変更しないと判断した場合には、図８（Ａ）に示すように画像提示情報をそのまま表示内容として決定し、アルバム紹介画面６３に当該画像提示情報に基づく画像コンポーネントＳＮｂを表示する。
【００６２】
そして情報表示端末２２は、画像コンポーネントＳＮｂにカーソルＣＳが重ねられた状態でユーザによって操作部２８が操作されることにより、ユーザによって画像コンポーネントＳＮｂが指定されると、ＵＲＬでなる表示用アドレス情報（図９）に対応付けられたアクション定義に従って新規ウィンドウの画像情報をデータ記憶部４３から読み出すと共に、情報提供装置２１に対してリンク用アドレス情報に基づくリンク提示情報の送信を要求し、この結果送信される当該リンク提示情報を情報提供装置２１から受信する。
【００６３】
情報表示端末２２は、提示情報生成部４７によってアルバム紹介画面データに新規ウィンドウの画像情報及びリンク提示情報を重畳し、表示画面データ（以下、これをリンク画面データと呼ぶ）を生成する。この結果図１０に示すように表示部４２には、当該リンク画面データに基づくリンク画面６５が表示される。このリンク画面６５では、アルバム紹介画面６３（図８（Ａ））の上に重ねるようにリンク画像６５ｘを表示した新規ウィンドウＷＤａが表示されている。
【００６４】
これに対して画像提示情報の表示内容を変更するべきと判断した場合、情報表示端末２２は、決定部４５(図２)によって画像提示情報の表示内容として代替提示情報を表示することを決定し、提示情報取得部４６によってＵＲＩでなる代替表示アドレス情報に従い、データ記憶部４３から代替画像提示情報を読み出すようになされている。この結果図８（Ｂ）に示すように、表示部４２には、代替提示情報に基づいて、「ここをクリックすると画像が表示されます」というクリックによって画像が表示される旨をユーザに伝えるための文字列でなる代替画像コンポーネントＤＮｂが表示される。
【００６５】
これにより情報表示端末２２は、文字列でなるため画像提示情報と比して格段に情報量の少ない代替画像提示情報を画像提示情報の代替として使用することができるため、提示画面データ生成部４７によるアルバム紹介画面データの生成にかかる処理を大きく軽減して迅速にアルバム紹介画面データを生成することができると共に、代替画像コンポーネントＤＮｂをクリックすることにより画像が表示されることをユーザに対して視認させることができる。
【００６６】
そして情報表示端末２２は、ユーザの操作に応じて代替画像コンポーネントＤＮｂ（図８（Ｂ）がクリックされた場合には、代替表示アドレス情報に設定されているアクション定義に従って、新規ウィンドウについての画像情報をデータ記憶部４３から読み出すと共に、情報提供装置２１に対して代替リンク用アドレス情報に基づく代替リンク提示情報を要求し、当該代替リンク提示情報を情報提供装置２１から受信する。
【００６７】
この結果情報表示端末２２は、提示情報生成部４７によってアルバム紹介画面データに新規ウィンドウの画像情報及び代替リンク提示情報を重畳して表示画面データ（以下、これを代替リンク画面データと呼ぶ）を生成し、これを表示部４２に表示する。この結果図１１に示すように、表示部４２には、当該代替リンク画面データに基づく代替リンク画像６５ｙがアルバム紹介画面６３の前面に重なるように表示された代替リンク画面６５ｙが表示される。ちなみに代替リンク画像６５ｙは、上述したリンク画像６５ｘを縮小したものである。
【００６８】
また紹介画面構成情報６４において、画像要素情報ＣＮｂに表示用アドレス情報及び代替表示用アドレス情報に新規ウィンドウを表示する旨のアクション定義がなされておらず、当該表示用アドレス情報及び代替表示用アドレス情報に直接リンク用アドレス情報及び代替リンク用アドレス情報がそれぞれ対応付けられている場合（図示せず）、情報表示端末２２は、表示画面データ生成部４７によって新たなウィンドウではなく現在開いているウィンドウＷＤに、アルバム紹介画面６１の代わりとして上述したリンク画像６５又は代替リンク画像６５ｘ（図８）を表示するようになされている。
【００６９】
また情報表示端末２２は、画像要素情報ＣＮｂに代替リンク用アドレス情報としてＵＲＩが対応付けられていた場合、提示情報取得部４６によって当該代替リンクアドレス情報に従って代替リンク提示情報をデータ記憶部４３から読み出すと共に、表示画面データ生成部４７によって当該代替リンク提示情報に基づく表示画面を生成し、これを表示部４２に送出する。この結果表示部４２には、例えば図１２に示すように、リンク画像６５ｘを現在表示できない旨をユーザに伝える代替リンク画面６６が表示される。なお図１２では、現在開いているウィンドウＷＤにアルバム紹介画面６３の代わりとして代替リンク画面６６が表示された例を示している。これにより情報表示端末２２は、ユーザに現在リンク画像６５ｘを表示できないことをユーザに視認させることができる。
【００７０】
さらに紹介画面構成情報６４において、上述したように表示用アドレス情報にアクション定義及びリンク用アドレス情報が対応付けられている一方、代替表示用アドレス情報にアクション定義及び代替リンク用アドレス情報が対応付けられていない場合（図示せず）、操作部２８を介してユーザによって画像コンポーネントＳＮｂが指定されると情報表示端末２２は、提示情報取得部４６によってリンク提示情報を取得すると共に表示画面データ生成部４７によってアクション定義及びリンク提示情報に基づく表示画面データを生成することにより、リンク画面６５（図１０）を表示する。一方、代替コンポーネントＤＮｂがクリックされた場合、情報表示端末２２は、リンクの設定がなされていない（すなわちリンクが無効になされている）ためなんら処理をすることなく、現在表示中のアルバム紹介画面６３の表示をそのまま継続する。
【００７１】
このように構成情報の提供側である情報提供装置２１は、紹介画面構成情報６２に、表示用アドレス情報に設定されたリンク用アドレス情報やアクション定義よりも処理負荷が軽い代替ＵＲＬやアクション定義を代替表示用アドレス情報に対応付けたり、リンクを無効にすることにより、代替表示用アドレス情報に基づく代替コンポーネントＤＮｂを表示中であり、情報表示端末２２に対して、代替コンポーネントＤＮｂがクリックされたときの処理負荷を軽減するようになされている。
【００７２】
次に、表示情報にエイリアス画像定義が設定されている場合について、図１３に示すメンバー画面６７を用いて説明する。
【００７３】
なおエイリアス画像定義は、複数の同一画像（以下、これをエイリアス画像と呼ぶ）が使用される場合に使用されるものであり、エイリアス定義情報内に当該エイリアス画像を表すワードと取得先情報を定義しておくことにより、要素情報ＣＮ内に定義された当該ワードを記述するだけで当該要素情報ＣＮ内に当該エイリアス画像の取得先を指定することができるものをいう。
【００７４】
図１３に示すようにメンバー画面６７は、背景コンポーネントＳＮｈと、タイトルコンポーネントＳＮｉと、画像コンポーネントＳＮｊとから構成されている。さらに画像コンポーネントＳＮｊには、同一の画像でなる５つのジャンプボタンＥＳが表示されている。このジャンプボタンＥＳには、「グループ紹介ページへ」という文字列が表示されていると共にリンクが設定されており、当該ジャンプボタンＥＳにカーソルＣＳが重ねられた状態でユーザがマウス（図示しない）をクリック操作すると、表示部４２に図示しないグループ紹介ページが表示されるようになされている。
【００７５】
図１４に、このメンバー画面６７についての構成情報（以下、これをメンバー画面構成情報と呼ぶ）６８を示している。背景コンポーネントＳＮｈ及びタイトルコンポーネントＳＮｉに対応する背景要素情報ＣＮｈ及びタイトル要素情報ＣＮｉには、図５と同様の表示用アドレス情報や変更可否情報ＹＮなどが含まれている。これに対して画像コンポーネントＳＮｊに対応する画像要素情報ＣＮｊには、変更可否情報ＹＮ、画像提示情報の取得先を表す表示用アドレス情報に加えて、当該表示用アドレス情報に対して５つのエイリアス画像「ジャンプボタン」が指定されると共に、メンバー画面構成情報６８が有するエイリアス定義情報ＣＥにこの「ジャンプボタン」が定義されている。
【００７６】
エイリアス定義情報ＣＥには、このエイリアス画像「ジャンプボタン」についてのジャンプボタン提示情報の取得先情報である表示用アドレス情報が定義されている。またこのエイリアス画像「ジャンプボタン」にはリンクが設定されており、リンク先を表すリンク用アドレス情報が表示用アドレス情報に対応付けられていると共に、変更可否情報ＹＮとして省略可能であることを表す省略フラグと、提示優先度（例えば「５」）が含まれている。従ってメンバー画面６７の画像コンポーネントＳＮｊには、このジャンプボタン提示情報に基づく５つのエイリアス画像がジャンプボタンＥＳとしてメンバー画面６７に表示される。さらに当該画像コンポーネントＳＮｊに表示された５つのジャンプボタンＥＳの全てについて同一のリンクの設定がなされていることになる。
【００７７】
すなわち情報表示端末２２の制御部２７は、メンバー画面６７におけるジャンプボタンＥＳにカーソルＣＳが配置された状態で操作部２８が操作されたことにより、ユーザによって当該ジャンプボタンＥＳが指定されたことを認識すると、表示されるべきリンク提示情報の表示内容を変更するべきか否かを決定部４５によって判断する。そして決定部４５は、リンク提示情報の表示内容を変更すべきと判断した場合には、リンク提示情報を取得せず、現在表示しているメンバー画面６７を継続して表示する。
【００７８】
これに対して情報表示端末２２は、決定部４５がリンク提示情報の表示内容を変更すべきでないと判断した場合、提示情報取得部４６によってリンク用アドレス情報が示すリンク提示情報を取得し、当該リンク提示情報に基づいて表示画面データを生成し、これを表示部４２に表示するようになされている。
【００７９】
このように情報提供装置２１は、メンバー画面構成情報６８におけるエイリアス定義情報ＣＥに変更可否情報ＹＮを含ませることにより、エイリアス定義情報ＣＥで定義されたジャンプボタンＥＳがクリックされた場合のリンク提示情報の変更内容などを一括的に指定することができるようになされている。
【００８０】
（１−４）提示処理能力値の算出
ところで情報表示端末２２では、提供情報を受信して表示画面データを生成する際、ネットワークＮＴ自体の混雑具合や情報提供装置２１の処理状況などに応じて表示情報を取得する際の転送速度など、ネットワークＮＴの状況（以下、これをネットワーク状況と呼ぶ）が変化すると共に、情報表示端末２２自身が並行して実施している音楽データの再生や記憶など、他の処理等の状況（以下、これを端末処理状況と呼ぶ）に応じて、提示処理（提示情報の取得及び当該提示情報に基づく表示画面の表示）の際の提示処理能力が変化する。すなわちユーザから表示画面を表示する旨の表示要求がなされてから実際に表示部４２に表示画面を表示するまでの所要表示時間は、この提示処理能力に応じて変化することになる。
【００８１】
情報表示端末２２では、提示処理能力が高い時には、情報提供装置２２に対して提示情報を要求すると迅速に当該提示情報を取得し得ると共に当該提示情報に対して迅速に画像処理を施して表示画面データを生成することができ、迅速に提示処理を実行できるため、当該提示情報に基づいて生成される表示画面についての所要表示時間を短くできる一方、提示処理能力が低い時には提示処理に時間を要するため、同一のデータを表示する場合であっても所要表示時間が長くなってしまう。
【００８２】
そこで本実施の形態による情報表示端末２２は、提示処理能力に基づく提示処理能力値を算出し、これを提示情報の表示内容を変更するべきか否かの判断基準として使用して、提示処理能力が低い時に処理負荷が軽くなるよう提示情報に変更を施すことにより、提示処理能力が低い場合であっても迅速に表示画面を表示するようにする。ちなみにこの提示処理能力値は、値が大きいほど情報表示端末２２の現在の提示処理能力が低いことを表している。
【００８３】
すなわち情報表示端末２２の能力計測部４４（図２）は、端末処理状況を数値化して端末処理状況スコアを計測する。例えば能力計測部４４は、現在稼動している処理ブロック(図２)の数を計測し、図１５に示すように、この処理ブロックの数を情報表示端末２２の現在の処理負荷を数値化して表す端末処理状況スコアとする。ちなみにこの端末処理状況スコアは、値が大きいほど現在の処理負荷が大きくなっており、現在の情報表示端末２２の提示処理能力が低いことを表している。なお能力計測部４４は、ユーザの設定に応じた任意のタイミングで端末処理状況スコアを計測するようになされており、例えば定期的に計測してその平均値を用いるようにしたり、上述した構成情報を取得する際、又は後述する変更判断処理の際等のタイミングで当該端末処理状況スコアを計測する。
【００８４】
さらに能力計測部４４（図２）は、ネットワーク状況を数値化して表すネットワーク状況スコアを計測する。例えば制御部２７が情報表示端末２２に構成情報や提示情報などの何らかの要求データを送信する旨の要求信号を送出してから、当該要求データを受信するまでに要した応答時間を計測し、単位データ当たりの応答時間を１０段階にレベル分けして、情報提供装置２２と情報提供装置２１との間におけるネットワーク状況スコアとする。ちなみにこのネットワーク状況スコアは、端末処理状況スコアと同様に、値が大きいほどデータの転送速度が遅く、現在のネットワークＮＴの能力が低いことを表している。なお能力計測部４４は、ユーザの設定に応じた任意のタイミングでネットワーク状況スコアを計測するようになされており、例えば定期的に計測してその平均値を用いるようにしたり、上述した構成情報を取得する際、又は後述する変更判断処理の際等のタイミングで当該ネットワーク状況スコアを計測する。
【００８５】
そして能力計測部４４は、端末処理状況スコアとネットワーク状況スコアを比較し、大きい方の値である端末処理状況スコアの「６」を総合状況スコアとして選定する。これにより能力計測部４４は、提示処理において律速となる状況を数値化して表す値を総合状況スコアとして選定し得、ネットワークＮＴに接続されている情報表示端末２２の現在の総合的な状況を総合状況スコアに反映させるため、総合状況スコアが情報表示端末２２の現在の提示処理能力を的確に表すことができる。
【００８６】
また情報表示端末２２はデータ記憶部４３に端末固有となる端末能力補正値と、ユーザによって設定される表示速度係数ＳＳを有している。ここで情報表示端末２２の制御部２７（図２）は、ユーザの操作部２８を介した操作要求に応じ、データ記憶部４３に格納された表示速度設定画像データを表示部４２に供給する。この結果図１６に示すように、表示部４２には、表示速度設定画面７０が表示される。
【００８７】
表示速度設定画面７０には、端末能力補正値ＩＳ（図では「２」）と、表示速度係数ＳＳと、表示速度設定バー７０Ａとが表示されている。この端末能力補正値ＩＳは、情報表示端末２２が元来備える最大処理能力をネットワークＮＴに接続された他の端末との相対的な最大処理能力として数値化して表すものであり、数値が小さいほど当該情報表示端末２２の最大処理能力が大きいことを表している。制御部２７は、端末能力補正値ＩＳをユーザに提示することにより、他の端末との最大処理能力の差異をユーザに認識させることができ、これを参考にして表示速度係数ＳＳを設定させ得るようになされている。
【００８８】
また表示速度係数ＳＳは、提示情報の内容の変更を促進して所要表示時間を短縮するか又は提示情報の変更を抑制して提示情報に則した表示画面を表示させるかをユーザに選択させる数値である。従って、表示速度係数ＳＳと端末能力補正値ＩＳとの乗算値は情報表示端末２２が最大処理能力を発揮した場合に要する所要表示時間のレベルを他の端末との相対値として表していることになる。
【００８９】
表示速度設定バー７０Ａは、表示速度係数ＳＳをユーザに設定させるためのものであり、三角形状を有する指示子の先端が指している数字が現在設定されている表示速度係数ＳＳであることを示している。制御部２７(図２)は、カーソルＣＳ（図１５）が指示子上に載せられた状態にあるときに操作部２８を介したユーザの操作によってカーソルＣＳが移動されると、カーソルＣＳと共に指示子を表示速度設定バー７０Ａに沿って移動させることにより、当該指示子の先端が表す表示速度係数ＳＳをユーザに自由に変更させることができる。これにより制御部２７は、ユーザの好みに応じて所要表示時間の調整を行うことができる。なお制御部２７は、ユーザの要求に応じていつでも表示設定画面７０を表示部４２に表示させることができるようになされている。
【００９０】
そして能力計測部４４は、総合状況スコアに対して端末能力補正値ＩＳを乗算した乗算値を算出する。これにより能力計測部４４は、当該乗算値が情報表示端末２２内の絶対的な値ではなく、ネットワークＮＴ等に接続されている他の情報表示装置との相対的な値として情報表示端末２２の現在の提示処理能力を表すことができる。
【００９１】
さらに能力計測部４４は、この乗算値に対して表示速度係数ＳＳを乗算することにより、情報表示端末２２のユーザの要望に応じた所要表示時間で提示処理を実行できる現在の提示処理能力を表す提示処理能力値を算出することができる。そしてこの提示処理能力値は、後述する提示情報の変更判断処理において、提示情報の表示内容を変更するべきか否かの判断基準として使用されるようになされている。なお能力計測部４４は、ユーザの設定に応じた任意のタイミングで提示処理能力値を算出するようになされており、定期的に算出してその平均値を用いるようにしたり、上述した構成情報を取得する際、又は後述する変更判断処理の際等のタイミングで算出することができる。
【００９２】
このように能力計測部４４は、端末処理状況スコア及びネットワーク状況スコアに基づいて、情報表示端末２２の現在の提示処理能力を総合的に表す総合状況スコアを計測すると共に、この総合状況スコアに端末能力補正値ＩＳ及び表示速度係数ＳＳを乗算することにより、ネットワークＮＴにおいて他の情報表示端末との関係において相対的な値を示し、かつユーザの所要表示時間に対する要望を満たし得る提示処理能力値を算出することができる。
【００９３】
（１−５）変更判断処理
次に、情報表示端末２２が提示情報の表示内容を変更するか否かを判断する変更判断処理ついて、上述した紹介構成情報６２（図５）を用いて説明する。以下、例として２つの変更判断処理について説明するが、情報表示端末２２はユーザによって選択されたどちらか一方の変更判断処理を実行する。
【００９４】
（１−５−１）提示情報単位での変更判断処理
まず、表示画面データ内で提示情報ごとに当該提示情報の表示内容を変更するか否かを判断する提示情報単位での変更判断処理について説明する。
【００９５】
情報表示端末２２の決定部４５（図２）は、紹介構成情報６２（図５）を受信すると、上述した提示処理能力値と、各要素情報ＣＮにおける提示優先度を比較し、提示優先度の値が提示処理能力値よりも低い提示情報についての表示内容を変更する。
【００９６】
例えばアルバム紹介画面データを模式的に示す図１７（Ａ）のように、決定部４５は、例えば提示処理能力値が「１２」であった場合、提示処理能力値よりも低い値の提示優先度「１」、「５」、「１０」を有する背景提示情報、画像提示情報及びリスト提示情報（斜線で示す）について、表示内容を変更することを決定する一方、提示処理能力値よりも高い値の提示優先度「２０」を有する文字列提示情報（白抜きで示す）については、表示内容を変更しないことを決定する。
【００９７】
この結果図１７（Ｂ）に示すように、表示部４２には、背景コンポーネントＳＮａが省略され、代替画像コンポーネントＤＮｂ、代替リストコンポーネントＤＮｄ及び文字列コンポーネントＳＮｃからなるアルバム紹介画面６１が表示される。なお図１７（Ｂ）では、ウィンドウＷＤを省略している。
【００９８】
このように情報表示端末２２は、提示優先度を閾値として提示処理能力値に応じて提示情報ごとに当該提示情報の表示内容を変更するか否かを判断することにより、情報表示端末２２の提示処理能力に応じて簡易に提示情報の表示内容を決定し得るようになされている。
【００９９】
（１−５−２）表示画面データ単位での変更判断処理
次に、表示画面データ内で提示処理能力値を満たすように表示内容を変更する提示情報を選択する表示画面データ単位での変更判断処理について説明する。
【０１００】
情報表示端末２２の決定部４５（図２）は、紹介構成情報６２（図７）を受信すると、各要素情報ＣＮにおける提示優先度を確認し、提示優先度の値を低いものから順に加算して加算値を算出する。そして決定部４５は、提示優先度の加算値が提示処理能力値よりを超えると、加算値に使用された提示情報（超えたときに加算された提示情報を除く）、すなわち提示優先度の加算値が提示処理能力値を超えない範囲であったときの提示情報を選出し、表示内容を変更する変更対象とする。
【０１０１】
例えばアルバム紹介画面データを模式的に示す図１８（Ａ）に示すように、決定部４５は、例えば提示処理能力値が「１２」であった場合、低い値の提示優先度から順に提示優先度を加算していき、その加算値を提示処理能力値と比較する。決定部４５は、加算値が提示処理能力値を超えるまで加算値の算出を継続し、加算値が提示処理能力を超えない範囲内にある提示情報を変更対象として選定し、変更対象となる提示情報の表示内容を変更することを決定する一方、選定されなかった提示情報の表示内容を変更しないことを決定する。
【０１０２】
例えば図１８（Ａ）では、「１」＋「５」＝６であり、提示処理能力値「１２」を超えていないものの、「１」＋「５」＋「１０」＝１６であり、提示処理能力値「１２」を超えていることから、変更対象として提示優先度「１」及び「５」を有する背景提示情報及び画像提示情報（斜線で示す）を選定し、これらについて表示内容を変更することを決定する。一方決定部４５は、さらに提示優先度を加算すると加算値が提示処理能力値を越えてしまう提示優先度「１０」及び「２０」を有するリスト提示情報及び文字列提示情報（白抜きで示す）については、表示内容を変更しないことを決定する。
【０１０３】
この結果表示部４２には、背景コンポーネントＳＮａが省略され、代替画像コンポーネントＤＮｂ、並びに文字列画像コンポーネントＳＮｃ及びリストコンポーネントＳＮｄからなるアルバム紹介画面６１が表示される。なお図１８（Ｂ）では、ウィンドウＷＤを省略している。
【０１０４】
このように情報表示端末２２は、提示優先度を閾値として提示処理能力値に応じて表示画面データ内で、当該表示画面データを構成する提示情報の中から表示内容を変更する変更対象となる提示情報を選択することにより、表示画面データに使用される全ての提示情報についての提示処理に対するトータル的な負荷を考慮した上で、情報表示端末２２の提示処理能力に応じて提示情報の表示内容を決定し得るようになされている。
【０１０５】
（１−６）表示画面データ生成処理手順
次に、上述した表示画面データを表示する処理の手順（以下、これを表示画面データ生成処理手順と呼ぶ）について詳しく説明する。なお、情報提供表示システム２０では、提示処理能力値の算出のタイミングが異なる３つの表示画面データ生成処理手順（シーケンスチャートＲＴ１、ＲＴ２及びＲＴ３）のうち、ユーザによって選択されたいずれか一つに従って表示画面データ生成処理が実行されるようになされている。
【０１０６】
（１−６−１）構成情報の受信時に提示処理能力値を算出する場合
構成情報の受信時に提示処理能力値を算出する場合の表示画面データ生成処理手順について、図１９に示すシーケンスチャートＲＴ１を用いて説明する。
【０１０７】
情報表示端末２２は、ユーザから表示画面を表示する旨の要求がなされると、ステップＳＰ１において、自己の処理負荷状況を表す端末状況スコアを計測し、次のステップＳＰ２へ移る。
【０１０８】
ステップＳＰ２において、情報表示端末２２は、情報提供装置２１に対して表示画面の構成を表す構成情報の供給を要求すると、次のステップＳＰ４へ移る。
【０１０９】
このとき情報提供装置２１は、ステップＳＰ２１において、情報表示端末２２からの要求に応じて、要求された構成情報を当該情報表示端末２２に送信すると、次のステップＳＰ２２へ移る。
【０１１０】
このとき情報表示端末２２は、ステップＳＰ４において、情報提供装置２１から構成情報を受信すると、当該構成情報を要求してから受信するまでの時間に基づいてネットワーク状況スコアを計測し、次のステップＳＰ５へ移る。
【０１１１】
ステップＳＰ５において、情報表示端末２２は、ステップＳＰ２及びステップＳＰ４において計測された端末状況スコア及びネットワーク状況スコアに基づいて、ユーザの求める所要表示時間を満たすことのできる現在の提示処理能力を表す提示処理能力値を算出すると、次のステップＳＰ６へ移る。
【０１１２】
ステップＳＰ６において、情報表示端末２２はサブルーチンＳＲＴ１１のステップＳＰ３１又はサブルーチンＳＲＴ１２のステップＳＰ４１へ移り、提示情報についての表示内容を決定する表示内容決定処理を実行すると、次のステップＳＰ７へ移る。
【０１１３】
ステップＳＰ７において、情報表示端末２２は、ステップＳＰ６において表示されることが決定された提示情報及び代替提示情報の取得先情報を確認し、取得先として情報提供装置２１内が指定されている提示情報及び代替提示情報の供給を情報提供装置２１に対して要求すると、次のステップＳＰ８へ移る。
【０１１４】
このときステップＳＰ２２において、情報提供装置２１は、要求された提示情報及び代替提示情報を情報表示装置２２に送信し、処理を終了する。
【０１１５】
このときステップＳＰ８において、情報表示端末２２は、情報提供装置２１から提示情報及び代替提示情報を受信すると、取得先として自己のデータ記憶部４３内が指定されている提示情報及び代替提示情報を当該データ記憶部４３から読出し、次のステップＳＰ９へ移る。
【０１１６】
ステップＳＰ９において、情報表示端末２２は、ステップＳＰ７及び８において取得された提示情報及び代替提示情報を用いて表示画面データを生成し、これを表示部４２に送出することにより表示画面をユーザに対して表示すると、終了ステップに移って処理を終了する。
【０１１７】
次に、サブルーチンＳＲＴ１１が表す提示情報単位での変更判断処理による表示内容決定処理手順について図２０を用いて説明する。なおこのサブルーチンＳＲＴ１１は、後述する一定期間ごとに提示処理能力レベルを算出する場合の表示画面データ生成処理手順（シーケンスチャートＲＴ２（図２２））においても使用される。
【０１１８】
サブルーチンＳＲＴ１１のステップＳＰ３１において、情報表示端末２２は、構成情報が有する要素情報ＣＮが表す一の提示情報を選択すると、次のステップＳＰ３２へ移る。
【０１１９】
ステップＳＰ３２において、情報表示端末２２は、提示処理能力値が提示優先度未満であるか否かについて判別する。ここで否定結果が得られた場合、このことは現在の情報表示端末２２の提示処理能力と比して提示情報をそのまま提示してほしいという提供側の意図が強いため提示情報についての表示内容を変更する必要がないことを表しており、このとき情報表示端末２２は、次のステップＳＰ３８へ移る。
【０１２０】
これに対して、ステップＳＰ３２において肯定結果が得られた場合、このことは現在の情報表示端末２２の提示処理能力と比して提示情報をそのまま提示してほしいという提供側の意図が弱いため提示情報についての表示内容を変更すべきことを表しており、このとき情報表示端末２２は、次のステップＳＰ３３へ移る。
【０１２１】
ステップＳＰ３３において、情報表示端末２２は、要素情報ＣＮに省略フラグが含まれているか否かについて判別する。ここで省略フラグが含まれていると判別した場合、このことは当該要素情報ＣＮに対応する提示情報を省略しても良いと提供側が意図していることを表しており、このとき情報表示端末２２は、次のステップＳＰ３４へ移る。
【０１２２】
ステップＳＰ３４において、情報表示端末２２は、提示情報の表示内容として、当該提示情報の表示を省略することを決定すると、次のステップＳＰ３９へ移る。
【０１２３】
これに対して、ステップＳＰ３３において要素情報ＣＮに省略フラグが含まれていないと判別した場合、このことは当該要素情報ＣＮに対応する提示情報を省略すべきでないことを表しており、このとき情報表示端末２２は、次のステップＳＰ３５に移る。
【０１２４】
ステップＳＰ３５において、情報表示端末２２は、要素情報ＣＮに代替フラグが含まれているか否かについて判別する。ここで否定結果が得られた場合、このことは当該要素情報ＣＮに対応する提示情報の表示内容を変更してほしくないと提供側が意図している、若しくは提供側の意図が不明であるため、提示情報の表示内容を変更すべきでないことを表しており、このとき情報表示端末２２は、ステップＳＰ３８へ移る。
【０１２５】
これに対して、ステップＳＰ３５において代替フラグが含まれていると判別した場合、このことは当該要素情報ＣＮに対応する提示情報を代替して表示しても良いと提供側が意図していることを表しており、このとき情報表示端末２２は、次のステップＳＰ３６へ移る。
【０１２６】
ステップＳＰ３６において、情報表示端末２２は、要素情報ＣＮに代替提示情報が含まれているか否かについて判別する。ここで否定結果が得られた場合、このことは要素情報ＣＮに代替フラグが含まれているにも拘らず代替提示情報が含まれていないことから、提示情報を少なくとも代替して表示することを提供側が意図しており、提示情報を省略すべきでないことを表しているため、このとき情報表示端末２２は、次のステップＳＰ３８へ移る。
【０１２７】
これに対して、ステップＳＰ３６において肯定結果が得られた場合、このことは提示情報の代替として当該代替提示情報を表示してほしいと提供側が意図していることを表しており、このとき情報表示端末２２は、次のステップＳＰ３７へ移る。
【０１２８】
ステップＳＰ３７において、情報表示端末２２は、提示情報の表示内容として代替提示情報を表示することを決定すると、次のステップＳＰ３９へ移る。
【０１２９】
ステップＳＰ３８において、情報表示端末２２は、提示情報の表示内容としてそのまま提示情報を表示することを決定し、次のステップＳＰ３９へ移る。
【０１３０】
ステップＳＰ３９において、情報表示端末２２は、構成情報に含まれる全ての要素情報ＣＮに対応する全ての提示情報についての表示内容を決定したか否かを判別し、決定していないと判別した場合には、ステップＳＰ３１に戻って処理を継続する一方、決定したと判別した場合には、表示画面データ生成処理手順を表すシーケンスチャートＲＴ１又はＲＴ２のステップＳＰ６（図１９又は図２２）へ戻り、処理を継続するようになされている。
【０１３１】
次に、サブルーチンＳＲＴ１２が表す表示画面データ単位での変更判断処理による表示内容決定処理手順について説明する。なおこのサブルーチンＳＲＴ１２は、後述する一定期間ごとに提示処理能力レベルを算出する場合の表示画面データ生成処理手順（シーケンスチャートＲＴ２（図２２））においても使用される。
【０１３２】
サブルーチンＳＲＴ１２のステップＳＰ４１において、情報表示端末２２は、構成情報に含まれる要素情報ＣＮが有する提示優先度を確認し、提示優先度の低い順に当該要素情報に対応する提示情報を選出すると、次のステップＳＰ４２に移る。
【０１３３】
ステップＳＰ４２において、情報表示端末２２は、選出された提示情報の提示優先度を加算して加算値を算出すると、次のステップＳＰ４３へ移る。
【０１３４】
ステップＳＰ４３において、情報表示端末２２は、ステップＳＰ４２において算出した加算値が提示処理能力値よりも大きいか否かについて判別する。ここで加算値が提示処理能力値以下であると判別した場合、このことは現在の情報表示端末２２の提示処理能力と比して選出された提示情報のトータルとして、提示情報をそのまま提示してほしいという提供側の意図が弱く、さらに提示情報を選出する必要があることを表しており、このとき情報表示端末２２は、ステップＳＰ４１へ戻り、提示情報の選出を継続する。
【０１３５】
これに対してステップＳＰ４３において、加算値が提示処理能力値よりも大きいと判別した場合、このことは現在の情報表示端末２２の提示処理能力と比して提示情報をそのまま提示してほしいという提供側の意図が強く、これ以上提示情報の選出をする必要がないことを表しており、このとき情報表示端末２２は、ステップＳＰ４４へ移る。
【０１３６】
ステップＳＰ４４において、情報表示端末２２は、ステップＳＰ４１において選出された提示情報のうち、最後に選出された提示情報以外の提示情報を変更対象に決定すると、次のステップＳＰ４５へ移る。
【０１３７】
ステップＳＰ４５において、情報表示端末２２は、構成情報が有する要素情報ＣＮに対応する提示情報から一の提示情報を選択すると、次のステップＳＰ４６へ移る。
【０１３８】
ステップＳＰ４６において、情報表示端末２２は、ステップＳＰ４５において選択した提示情報がステップＳＰ４４において変更対象に決定されたか否かについて判別する。ここで変更対象に決定されていないと判別した場合、このことは提示情報の表示内容を変更すべきでないことを表しており、このとき情報表示端末２２は、次のステップＳＰ３８へ移る。
【０１３９】
これに対してステップＳＰ４６において変更対象に決定されたと判別した場合、このことは提示情報の表示内容を変更すべきであることを表しており、このとき情報表示端末２２は、次のステップＳＰ３３へ移る。
【０１４０】
そして情報表示端末２２は、ステップＳＰ３３〜ステップＳＰ３９において、サブルーチンＳＲＴ１１のときと同様の処理を実行すると、ステップＳＰ３９から表示画面データ生成処理手順を表すシーケンスチャートＲＴ１又はＲＴ２のステップＳＰ６（図１９又は図２２）へ戻り、処理を継続するようになされている。
【０１４１】
（１−６−２）一定期間ごとに表処理レベルを算出する場合
次に、一定期間ごとに提示処理能力値を算出する場合の表示画面データ生成処理手順について、図２２に示すシーケンスチャートＲＴ２を用いて説明する。
【０１４２】
この場合情報表示端末２２は、一定期間ごとに計測された端末状況スコア及びネットワーク状況スコアから総合状況スコアを計測すると共にこの総合状況スコアをデータ記憶部４３に記憶しておき、これまでに算出された総合状況スコアの平均値を現在の総合状況スコアとして提示処理能力値として用いるようにする。
【０１４３】
従って情報表示端末２２は、ユーザから表示画面を表示する旨の要求がなされると、ステップＳＰ５０に移り、データ記憶部４３から総合状況スコアの平均値を読み出し、当該総合状況スコアの平均値に対して端末能力補正値ＩＳ及び表示速度係数ＳＳを乗算することにより、提示処理能力値を算出すると、次のステップＳＰ２へ移る。
【０１４４】
ステップＳＰ２〜ステップＳＰ９において、情報表示端末２２は、構成情報の受信時に提示処理能力値を算出する場合の表示画面データ生成処理手順（シーケンスチャートＲＴ１（図１９））のときと同様にして処理を実行する。
【０１４５】
情報提供装置２２も同様に、ステップＳＰ２１及びステップＳＰ２２において、構成情報の受信時に提示処理能力値を算出する場合の表示画面データ生成処理手順（シーケンスチャートＲＴ１（図１９））のときと同様にして処理を実行するようになされている。
【０１４６】
（１−６−３）提示処理能力値を逐次算出する場合
次に、提示処理能力値を逐次算出する場合の表示画面データ生成処理手順について、図２３に示すシーケンスチャートＲＴ３を用いて説明する。この場合情報表示端末２２は、決定された表示内容に応じた提示情報又は代替提示情報の取得のたびに逐次総合状況スコアを計測して提示処理能力値を算出するようになされている。
【０１４７】
情報表示端末２２は、ユーザから表示画面を表示する旨の要求がなされると、ステップＳＰ１〜ステップＳＰ５において、構成情報の受信時に提示処理能力値を算出する場合の表示画面データ生成処理手順（シーケンスチャートＲＴ１（図１９））のときと同様の処理を実行し、次のステップＳＰ６１へ移る。
【０１４８】
このとき情報提供装置２１は、ステップＳＰ２１において構成情報の受信時に提示処理能力値を算出する場合の表示画面データ生成処理手順（シーケンスチャートＲＴ１（図１９））のときと同様の処理を実行し、次のステップＳＰ２４へ移る。
【０１４９】
ステップＳＰ６１において、情報表示端末２２は、構成情報に含まれる要素情報ＣＮに対応する提示情報から一の提示情報を選択すると、次のステップＳＰ６２へ移る。
【０１５０】
ステップＳＰ６２において、情報表示端末２２は、表示内容決定処理手順を表すサブルーチンＳＲＴ１３のステップＳＰ３２へ移り、表示内容決定処理を実行する。このとき情報提供装置２１は、ステップＳＰ２４においてサブルーチンＳＲＴ１３のステップＳＰ２７へ移り、表示内容決定処理を実行する。
【０１５１】
サブルーチンＳＲＴ１３のステップＳＰ３２〜３８において、情報表示端末２２は、サブルーチンＳＲＴ１１と同様の処理を実行し、ステップＳＰ３３において提示情報を省略し、表示しないことを決定した情報表示端末２２は次のステップＳＰ７５へ移る一方、ステップＳＰ３７及びステップＳＰ３８において、表示内容として提示情報又は代替提示情報を表示することを決定した情報表示端末２２は、ステップＳＰ７１に移る。
【０１５２】
ステップＳＰ７１において、情報表示端末２２は、含まれている提示情報又は代替提示情報の取得先情報が、ＵＲＬか否かについて判別する。ここで取得先情報がＵＲＬでないと判別した場合、このことは取得先情報がデータ記憶部４３を表すＵＲＩであることを表しており、このとき情報表示端末２２は、次のステップＳＰ７２へ移り、データ記憶部４３から提示情報又は代替提示情報を読み出すと、次のステップＳＰ７５へ移る。
【０１５３】
これに対して取得先情報がＵＲＬであった場合、情報表示端末２２は、次のステップＳＰ７３へ移り、情報提供装置２１に対して提示情報又は代替提示情報の供給を要求し、次のステップＳＰ７４へ移る。
【０１５４】
このときステップＳＰ２７において、情報提供装置２１は、情報表示端末２２の要求に応じて提示情報又は代替提示情報を情報表示端末２２に送信すると、提示処理能力値を逐次算出する場合の表示画面データ生成処理手順のステップＳＰ２５（シーケンスチャートＲＴ３（図２３））のステップＳＰ２５へ移る。
【０１５５】
ステップＳＰ７４において、情報表示端末２２は、情報提供装置２１から提示情報又は代替提示情報を受信すると、ステップＳＰ７３において提示情報又は代替提示情報を要求してから受信するまでの時間、並びに当該提示情報又は代替提示情報のデータ量から現在のネットワーク状況スコアを計測し、次のステップＳＰ７５へ移る。
【０１５６】
ステップＳＰ７５において、情報表示端末２２は、現在の情報表示端末２２の各機能ブロックにおける端末処理状況から端末状況スコアを計測すると、提示処理能力値を逐次算出する場合の表示画面データ生成処理手順（シーケンスチャートＲＴ３（図２３））のステップＳＰ６３へ移る。
【０１５７】
ステップＳＰ６３において、情報表示端末２２は、サブルーチンＳＲＴ１３のステップＳＰ７３及びステップＳＰ７５で新たに計測されたネットワーク状況スコア及び端末状況スコアを用いて、現在の提示処理能力値を算出すると、次のステップＳＰ６４へ移る。
【０１５８】
ステップＳＰ６４において、情報表示端末２２は、提示処理能力値が前回算出された値から低下したか否かについて判別する。ここで提示処理能力値が低下（すなわち同一又は上昇）した場合、このことは提示処理能力が向上したため、提示情報に対する表示内容を変更する必要が生じた可能性があることを意味しており、このとき情報処理端末２２は、次のステップＳＰ６５へ移る。
【０１５９】
ステップＳＰ６５において、情報表示端末２２は、サブルーチンＳＲＴ１４（図２５）が表す表示内容再決定処理手順のステップＳＰ８１へ移る。このときステップＳＰ２５において、情報提供装置２１は、サブルーチンＳＲＴ１４のステップＳＰ２８へ移る。
【０１６０】
ステップＳＰ８１において、情報表示端末２２は、サブルーチンＳＲＴ１３(図２４)において既に提示情報の表示内容として代替提示情報を表示すると決定され、代替提示情報を取得及び読み出された提示情報を選出すると、次のステップＳＰ８２へ移る。
【０１６１】
ステップＳＰ８２において、情報表示端末２２は、ステップＳＰ８２において選出した提示情報の提示優先度とステップＳＰ６３で算出した現在の提示処理能力値とを比較し、提示優先度が現在の提示処理能力値以上となる提示情報が存在するか否かについて判別する。ここで提示優先度が現在の提示処理能力値以上となる提示情報が存在する場合、このことは現在の提示処理能力値を基準とすると表示内容を変更すべき提示情報が存在することを表しており、このとき情報表示端末２２は、次のステップＳＰ８３へ移る。
【０１６２】
ステップＳＰ８３において情報表示端末２２は、提示優先度が現在の提示処理能力値以上となる提示情報についての表示内容を提示情報に再決定すると、次のステップＳＰ７１へ移る。
【０１６３】
情報表示端末２２は、ステップＳＰ７１〜ステップＳＰ７５において、サブルーチンＳＲＴ１３（図２４）と同様の処理を実行し、提示処理能力値を逐次算出する場合の表示場面データ生成処理手順（シーケンスチャートＲＴ３(図２３)）のステップＳＰ６６へ移る。
【０１６４】
このとき情報提供装置２１は、ステップＳＰ２８において、サブルーチンＳＲＴ１３（図２４）と同様の処理を実行し、提示処理能力値を逐次算出する場合の表示場面データ生成処理手順（シーケンスチャートＲＴ３(図２３)）の終了ステップへ移り、処理を終了する。
【０１６５】
これに対してステップＳＰ６４において前回算出された値から提示処理能力値が低下していない場合、このことは提示処理能力が向上していないため、既に決定された提示情報に対する表示内容を変更する必要がないことを表しており、このとき情報表示端末２２は、次のステップＳＰ６６へ移る。
【０１６６】
ステップＳＰ６６において、情報表示端末２２は、構成情報に含まれる全ての提示情報について表示内容を決定したか否かについて判別し、未だ表示内容が未決定である提示情報が存在する場合には、ステップＳＰ６１において表示内容が未決定な当該提示情報から一の提示情報を選定し、処理を継続する。
【０１６７】
これに対してステップＳＰ６６において、構成情報に含まれる全ての提示情報について既に表示内容を決定していた場合には、次のステップＳＰ６７へ移り、決定された表示内容で表示画面データを生成すると、終了ステップへ移り、処理を終了する。
【０１６８】
（１−７）第１の実施の形態の動作及び効果
以上の構成において、情報表示端末２２の能力計測部４４は、提示情報の提示処理能力を端末状況スコア及びネットワーク状況スコアとして計測して提示処理能力値を算出する。受信部４１は、提示情報の変更可否を示す変更可否情報ＹＮとしての変更フラグを有する構成情報を受信する。決定部４５は、提示処理能力値と変更フラグに応じて、提示情報の表示内容を決定する。
【０１６９】
こうすることで情報表示端末２２は、提示処理能力値に応じて提示情報の表示内容を変更するか否かを決定すると共に、変更フラグに従って提示情報の表示内容をどのように変更するかを決定することにより、提示処理能力に応じて迅速にかつ提供側の意図に応じた表示画面データを生成することができる。
【０１７０】
さらに情報表示端末２２は、提示情報ごと付加された提示優先度を用いて各提示情報について表示内容を変更するか否かを判断することにより、必要最小限の提示情報について個別に表示内容を変更することができるため、表示画面データに使用される全ての提示情報の表示内容を変更するか否かを一律に判断する場合と比較して、できるだけ提示情報をそのまま表示したいという提供側の意図に従うことができる。
【０１７１】
さらに情報表示端末２２は、自己の処理負荷状況を表す端末状況スコア及びネットワークＮＴを介した情報提供装置２１との通信状態を表すネットワーク状況スコアを計測すると共に、当該端末状況スコア及びネットワーク状況スコアから総合状況スコアを算出することにより、現在の情報表示端末２２の総合的な状況（すなわち提示処理能力）を表すことができる。さらに情報表示端末２２は、この総合状況スコアに対して端末能力補正値を乗算して当該総合状況スコアを相対化した乗算値を算出することにより、当該乗算値のレベルを他の端末とほぼ同水準にすることができる。これにより情報表示端末２２は、この乗算値を基準として要素情報ＣＮが有する提示優先度を設定させることができるため、結果として提示情報をそのまま提示してほしいという提供側の意図の強さと表示処理能力を的確に比較することができる。さらにこの乗算値にユーザの表示速度に対する要求を表す表示速度係数ＳＳを乗算することにより、ユーザの要求に応じて表示速度を変化させることができ、かくしてユーザの要求する所要表示時間を満たすことができる提示処理能力を表す提示処理能力値を生成することができる。
【０１７２】
以上の構成によれば、情報表示端末２２は、提示情報に基づく表示画面データを生成する際の提示処理能力を計測し、表示画面の構成を表す構成情報を取得する際に変更可否情報ＹＮを受信し、提示処理能力に基づいて表示画面データを生成する処理を軽減すべきか否かを判別し、軽減すべきと判別した場合には、変更可否情報ＹＮに示された変更フラグに従って提示情報の表示内容を決定することにより、提供側が準備した変更可否情報ＹＮに従って提示情報の内容を決定することができるため、提示処理能力の低いときに、変更可否情報ＹＮにより変更の許可された提示情報の提示内容を変更して提示処理の処理負荷を減らすことができ、かくして提供情報の提供側の意図に反することなく提示処理に要する処理時間を短縮し得る情報処理装置、情報提示方法及び情報提示プログラムを実現できる。
【０１７３】
また情報提供装置２１は、提示情報についての変更可否を表す変更可否情報ＹＮを情報表示端末２２に供給することにより、提供側の意図に応じて情報表示端末２２に提示情報の提示内容を変更させることができる。
【０１７４】
さらに情報提供装置２１は、提示情報の重要性や情報量などに応じて設定された、提示情報をそのまま提示してほしいという提供側の意図の強さを表す提示優先度を変更可否情報ＹＮに含ませることにより、情報表示端末２２に当該情報表示端末２２の提示処理能力と当該提示優先度を比較させることができ、情報表示端末２２に提示情報に基づく画像データを迅速にかつ情報表示端末２２の提示処理能力に応じて必要最低限の提示情報の表示内容のみを変更させた画像データを生成させることができる。
【０１７５】
また情報提示表示システム２０では、提示情報を提供する情報提供装置２１が情報表示端末２２に対して変更可否情報ＹＮを供給すると共に、情報表示端末２２に当該情報表示端末２２の提示処理能力に応じて提示情報の表示内容を変更可否情報ＹＮに従って変更させるようにしたため、情報表示端末２２が提供側の意図に合った提示情報を迅速に表示することができる。
【０１７６】
（１−８）他の実施の形態
なお上述した第１の実施の形態においては、提示情報に対する変更の可否を表す変更可否情報ＹＮとして変更が可能であることを表す変更フラグを用いるようにした場合について述べたが、本発明はこれに限らず、変更可否情報ＹＮが表す変更の内容については特に制限されず、例えば代替提示情報、変更が不可能であることを示す変更不可フラグが含まれているようにしても良い。
【０１７７】
また上述した第１の実施の形態においては、変更可否情報ＹＮとして提示情報の省略及び代替の可否を示す省略フラグ及び代替フラグが含まれるようにした場合について述べたが、本発明はこれに限らず、省略フラグ及び代替フラグのいずれか一方のみが含まれるようにしても良い。
【０１７８】
さらに上述した第１の実施の形態においては、情報表示端末２２が提示情報の構成を表す構成情報に含まれる変更可否情報ＹＮを情報提供装置２１から受信するようにした場合について述べたが、本発明はこれに限らず、例えば当該変更可否情報ＹＮを構成情報に添付された状態で当該構成情報とは別のファイルとして受信するようにしても良く、また構成情報に変更可否情報ＹＮのＵＲＬが記述されており、当該ＵＲＬに基づいて情報提供装置２１から取得するようにしても良い。
【０１７９】
さらに上述した第１の実施の形態においては、情報表示端末２２は提示情報の表示を省略することを決定すると当該提示情報を受信しないようにした場合について述べたが、本発明はこれに限らず、提示情報を受信するようにしても良い。この場合であっても情報表示端末２２は、受信した提示情報に対する画像処理を省略することにより、提示処理の負荷を軽減することができる。
【０１８０】
さらに上述した第１の実施の形態においては、構成情報に代替フラグと共に代替情報に関するデータである代替表示用アドレス情報が含まれないときには表示情報の表示内容を変更しないようにした場合について述べたが、本発明はこれに限らず、代替フラグのみが含まれる場合、情報表示端末２２は、決定部４５によって提供側がいずれの画像を使用しても良いと意図しているものとしてデータ記憶部４３に記憶された画像データから独自に代替提示情報を決定し、当該代替提示情報を表示するようにしても良い。
【０１８１】
さらに上述した第１の実施の形態においては、情報表示端末２２は、稼動中の処理ブロックの数を端末状況スコアとするようにした場合について述べたが、本発明はこれに限らず、例えば情報表示端末２２は、所定の処理を実際に実行すると共に、当該所定の処理に要した時間をレベル分けすることにより、端末状況スコアを計測するなど、種々の方法を用いることができる。
【０１８２】
さらに上述した第１の実施の形態においては、情報表示端末２２は、要求データを受信する際の情報提供装置２１からの応答時間を計測し、単位データ量当たりの当該応答時間を１０段階にレベル分けすることによりネットワーク状況スコアを計測するようにした場合について述べたが、本発明はこれに限らず、例えば情報提供装置２１から自己の状況を表す値を供給し、この値を用いてネットワーク状況スコアを計測するなど、種々の方法を用いることができる。
【０１８３】
さらに上述した第１の実施の形態においては、情報表示端末は、端末状況スコアとネットワーク状況スコアとを比較して、大きい方の値を総合状況スコアとするようにした場合について述べたが、本発明はこれに限らず、例えば端末状況スコアとネットワーク状況スコアとの加算値や平均値を総合状況スコアとするようにしても良い。
【０１８４】
さらに上述した第１の実施の形態においては、情報表示端末２２は、総合状況スコアに対して端末能力補正値及び表示速度係数を乗算することにより提示処理能力を表す提示処理能力値を算出するようにした場合について述べたが、本発明はこれに限らず、例えば総合状況スコアをそのまま提示処理能力値として使用しても良く、また総合状況スコアに対して端末能力補正値又は表示速度係数のいずれか一方を乗算した乗算値を提示処理能力値として使用するようにしても良い。
【０１８５】
さらに上述した第１の実施の形態においては、端末能力補正値として情報表示端末２２が最大限有する提示処理能力に応じて当該情報表示端末２２に予め割り当てられているようにした場合について述べたが、本発明はこれに限らず、例えば情報提供装置２１が応答を要求する応答要求信号を送出し、情報表示端末２２からの返信信号を受信するまでの時間に応じて端末能力補正値を供給したり、情報表示端末２２が有する画像処理プログラムのバージョンなどに応じて自動的に決定されるようにしても良い。
【０１８６】
さらに上述した第１の実施の形態においては、変更可否情報ＹＮが数値でなる提示優先度を有するようにした場合について述べたが、本発明はこれに限らず、必ずしも数値である必要はなく、例えば情報表示端末２２で使用される画像処理プログラムの種類やバージョンなどを指定するような条件等を有するようにしても良い。
【０１８７】
さらに上述した第１の実施の形態においては、情報表示端末２２は、提示情報として静止画像データを受信するようにした場合について述べたが、本発明はこれに限らず、動画像データを受信するようにしても良い。この場合情報表示端末２２は、代替提示情報としてフレーム数や画素数を減少させたりすることにより情報量を少なくした動画像データや、当該動画像データを代表する一の静止画像データを受信することができる。
【０１８８】
さらに上述した第１の実施の形態では、情報表示端末２２は、各提示情報について表示内容を変更するか否かを判断するようにした場合について述べたが、本発明はこれに限らず、表示画面データに含まれる全ての提示情報について一律的に表示内容を変更するか否かを判断しても良い。この場合情報提供装置２１は、表示画面データに対する変更可否情報ＹＮを設定すると共に、変更不可を表す変更不可フラグを要素情報ＣＮに含めることにより、変更しない提示情報を指定することができる。
【０１８９】
さらに上述した第１の実施の形態では、情報表示端末２２は、表示画像データでなる提示情報に対する変更可否情報ＹＮを受信するようにした場合について述べたが、本発明はこれに限らず、例えば表示画面データが表示される際に同時再生されるＢＧＭ（Back Ground Music）などの音楽データでなる提示情報の提示内容（すなわち再生内容）に対する変更可否情報ＹＮを受信するようにしても良い。この場合情報提供装置２１は、提示情報である音楽データのＵＲＬ及び変更可否情報ＹＮを含んだ構成情報を情報表示端末２２に送信する。これにより情報表示端末２２は、提示情報のときと同様に、ビットレートを小さくしたり音楽データの時間を短くして繰り返させるようにするなどして情報量を少なくした代替音楽データを受信して再生内容を変更することにより、音楽データを取得及び再生するための処理を軽減する効果を得ることができる。
【０１９０】
さらに上述した第１の実施の形態では、構成情報に提示情報よりも小さいデータ量の代替提示情報が指定されているようにした場合について述べたが、本発明はこれに限らず、結果として情報表示端末２２の表示画面データ生成処理における処理負荷がトータル的に軽減されれば良い。例えば情報提供装置２１は、提示情報の表示用アドレス情報が指定され、代替提示情報として表示ＵＲＩが指定された構成情報を提供する。これにより情報表示端末２２は混雑しているネットワークＮＴを介することなく、単にデータ記憶部４３から代替提示情報を読み出せば良く、結果として提示処理の負荷を軽減することができる。また、代替提示情報として提示情報よりもデータ量の大きいものを準備し、提示処理能力が高い場合に代替提示情報に変更するようにしても良い。
【０１９１】
さらに上述した第１の実施の形態においては、情報表示端末２２が表示部４２に提示情報に基づく画面を表示するようにした場合について述べたが、本発明はこれに限らず、情報表示端末２２に接続された外部の表示装置に提示情報に基づく画面を表示するようにしても良い。
【０１９２】
さらに上述した第１の実施の形態においては、情報表示端末２２がユーザによって選択された一の表示画面データ生成処理手順（シーケンスチャートＲＴ１、ＲＴ２またはＲＴ３）に従って処理を実行するようにした場合について述べたが、本発明はこれに限らず、例えば情報表示端末２２の端末状況スコアに応じて最も処理負荷の軽い一の表示画面データ生成処理手順を選択するようにしたり、一の表示画面データ生成処理手順を固定的に使用するようにしても良い。
【０１９３】
（２）第２の実施の形態
次いで図２６及び図２７を用いて、第２の実施の形態による情報提供表示システムのハードウェア回路ブロックによるハードウェア回路構成を説明する。かかる情報提供表示システムは、提示情報を提供する情報提供装置１００と、当該提示情報の提供を受けてユーザに表示する情報処理装置１５０とがネットワークＮＴを介して接続されて構築されている。
【０１９４】
この場合情報提供装置１００は、上述した機能ブロック構成の情報処理装置１（図１）をハードウェア構成により実現した例であり、全体を統括的に制御するＣＰＵ１０１が、ＲＯＭ１０２またはハードディスクドライブ１０３にあらかじめ記憶されている基本プログラムやアプリケーションプログラムなどの各種プログラムを、バス１０４を介してＲＡＭ１０５に適宜展開しこれを実行することにより各種処理を実行するようになされている。
【０１９５】
このハードディスクドライブ１０３には、上述した各種プログラムの他に、ネットワークＮＴで接続された端末（図示せず）に提供する構成情報や提示情報、音楽データなどの各種情報が記憶されるようになされている。
【０１９６】
すなわちＣＰＵ１０２は、ネットワークＮＴで接続された端末から送られてくる構成情報、提示情報及び音楽データなどの各種情報の取得要求を、ネットワークインターフェース１０６を介して受け取ると、この取得要求に応じた情報をハードディスクドライブ１０３から読み出して、ネットワークインターフェース１０６を介して端末に送るようになされている。
【０１９７】
この情報提供装置１００は、ＣＰＵ１０１がＲＯＭ１０２またはハードディスクドライブ１０３に記憶されていた各種プログラムにしたがって各種処理をソフトウェア的に実行し得るようになされているため、上述した機能ブロック構成の情報処理装置１（図１）の各種機能（つまり実行する処理）に応じて、ＲＯＭ１０２又はハードディスクドライブ１０３に記憶させる各種プログラムを適宜選択し、ＲＡＭ１０５に当該各種プログラムを展開させて実行することにより、ＣＰＵ１０１を、情報提供装置２１の制御部２５と同様に機能させ、ハードディスクドライブ１０３をデータ記憶部３１と同様に機能させ、通信処理部１０７及びネットワークインターフェース１０６を情報提供装置２１の受信部３０及び送信部３２と同様に機能させることができる。
【０１９８】
よってこの情報提供装置１００は、情報提供装置２１の各種機能を、自身の構成で実現することができ、かくして上述した第１の実施の形態と同様の効果を得ることができる。
【０１９９】
なお、この第２の実施の形態では、ＣＰＵ１０１がＲＯＭ１０２またはハードディスクドライブ１０３にあらかじめ記憶されている各種プログラムにしたがって、情報提供装置２１の各種機能に基づく処理を実行する場合について述べたが、本発明はこれに限らず、各種プログラムを、ＣＤ（Compact Disc）やＤＶＤ（Digital Versatile Disc）などの記録媒体に記憶しておき、ＣＰＵ１０１がこの記録媒体から読み出した各種プログラムに従って、情報処理装置１の各種機能に基づく処理を実行するようにしても良いし、この記録媒体から各種プログラムをハードディスクドライブ１０３にインストールするようにしても良く、またネットワークインターフェース１０６を介して外部から取得するようにしても良い。
【０２００】
一方情報処理装置１５０は、当該情報処理装置１５０の筐体表面やリモートコントローラ（図示せず）に設けられた各種操作キーでなる操作入力部１５１がユーザによって操作されると、当該操作入力部１５１でこれを認識し、その操作に応じた操作入力信号を入力処理部１５２に送出する。入力処理部１５２は、供給される操作入力信号に対して所定の処理を施すことにより、当該操作入力信号を操作コマンドに変換し、これをバス１５３を介してＣＰＵ１５４に送出する。
【０２０１】
ＣＰＵ１５４は、ＲＯＭ１５４又はハードディスクドライブ１５６に予め記憶されている基本プログラムやアプリケーションプログラムなどの各種プログラムをバス１５３を介してＲＡＭ１５７に読み出す。そしてＣＰＵ１５４は、ＲＡＭ１５７上で展開した各種プログラムに従って全体を制御すると共に、所定の演算処理や、入力処理部１５２から与えられる操作コマンドに応じた各種処理を実行する。
【０２０２】
これによりＣＰＵ１５４は、通信処理部１５８及びネットワークインターフェース１５９を順次介してネットワークＮＴに接続し、当該ネットワークＮＴ上の情報提供装置１００にアクセスすることができる。そしてＣＰＵ１５４は、ユーザによる操作入力部１５１の操作に応じて表示画面を表示する旨の操作入力信号が入力されると、当該表示画面に対応する提示情報の取得を要求する取得要求信号を通信処理部１５８及びネットワークインターフェース１５９を順次介してネットワークＮＴ経由で情報提供装置１００に送信する。
【０２０３】
この結果、情報提供装置１００から種々の表示画面データを表す構成情報が送信されると、情報処理装置１５０のＣＰＵ１５４は、当該構成情報をネットワークインターフェース１５９及び通信処理部１５８を順次介して受信する。そしてＣＰＵ１５４は、表示画面データ生成処理手順（シーケンスチャートＲＴ１、ＲＴ２又はＲＴ３）のいずれかを実行することにより、提示処理能力値及び変更可否情報ＹＮに応じて当該構成情報が示す提示情報の表示内容を決定すると共に、決定された当該表示内容でなる表示画面データを生成し、これを表示処理部１６０を介してディスプレイ１６１に送出することにより、当該ディスプレイ１６１に種々の表示画面を表示する。
【０２０４】
この状態でＣＰＵ１５４は、ユーザにより操作入力部１５１を介して、所望の音楽データの取得を要求する操作入力信号が入力されると、これに応じて情報提供装置１００に対して音楽データの取得を要求する取得要求信号を通信処理部１５８及びネットワークインターフェース１５９を順次介してネットワークＮＴ経由で情報提供装置１００に送信する。この結果、要求に応じた音楽データが情報提供装置１００から送信されると、情報処理装置１５０のＣＰＵ１５４は、当該構成情報をネットワークインターフェース１５９及び通信処理部３０８を順次介して受信する。ＣＰＵ１５４は、受信した音楽データをハードディスクドライブ１５６に記憶する。
【０２０５】
そしてＣＰＵ１５４は、ユーザにより操作入力部１５１を介してハードディスクドライブ１５６内の音楽データが指定され、かつ当該指定された音楽データを再生要求する操作入力信号が入力されると、これに応じてハードディスクドライブ１５６から、当該指定された音楽データを読み出してデータ処理回路１６３に送出する。このようにしてＣＰＵ１５４は、スピーカ１６４から音楽信号に基づく音楽を出力してユーザに聴かせることができる。
【０２０６】
さらにＣＰＵ１５４は、ユーザにより操作入力部１５１を介してメディアを再生要求する操作入力信号が入力されると、これに応じてメディアドライブ１６２によりメディアから音楽データを読み出してデータ処理回路１６３に送出する。このようにしてＣＰＵ１５４は、スピーカ１６４から音楽信号に基づく音楽を出力してユーザに聴かせることができる。
【０２０７】
ところで情報処理装置１５０は、上述したように基本的にはＣＰＵ１５４がＲＯＭ１５５又はハードディスクドライブ１５６に記憶された各種プログラムに従って各種処理を実行すると共に各ハードウェアを制御している。このため情報処理装置１５０では、図２について上述した機能回路ブロックによるハードウェア構成の情報表示端末２２の機能に応じて、ＲＯＭ１５５又はハードディスクドライブ１５６に記憶させる各種プログラムを、上述した表示画面データ生成処理手順（シーケンスチャートＲＴ１、ＲＴ２又はＲＴ３）を実行させるための情報提示プログラムのように適宜選定することにより、ＣＰＵ１５４を上述の制御部２７（図２）、能力計測部４４、決定部４５、提示情報取得部４６及び表示画面データ生成部４７と同様に機能させ、通信処理部１５８及びネットワークインターフェース１５９を送信部２９及び受信部４１と同様に機能させ、ハードディスクドライブ１５６をデータ記憶部４３と同様に機能させ、操作入力部１５１及び入力処理部１５２を操作部２８と同様に機能させ、表示処理部１６０及びディスプレイ１６１を表示部４２と同様に機能させ、データ処理回路１６３及びスピーカ１６４を再生部４４と同様に機能させることができ、かくして上述した第１の実施の形態と同様の効果を得ることができる。
【０２０８】
なお情報処理装置１５０は、ＣＰＵ１５４の種類（例えばメーカ、型番、年式など）に応じて予め割り当てられた端末能力補正値をＲＯＭ１５５又はハードディスクドライブ１５６から読み出し、第１の実施の形態と同様にして提示処理能力値を算出するようになされている。
【０２０９】
（３）他の実施の形態
なお上述した第１及び第２の実施の形態においては、情報提示プログラム等を情報処理装置１５０のＲＯＭ１５５又はハードディスクドライブ１５６に予め格納するようにした場合について述べたが、本発明はこれに限らず、メモリースティック（ソニー株式会社の登録商標）などの外部記憶媒体からＲＯＭ１５５又はハードディスクドライブ１５６にインストールするようにしても良い。また、情報提示プログラムなどをＵＳＢ（Universal Serial Bus）やＥｔｈｅｒｎｅｔ（登録商標）（Institute of Electrical and Electronics Engineers）８０２．１１ａ／ｂ／ｇなどの無線ＬＡＮ（Local Area Network）を介して外部から取得し、さらには地上ディジタルテレビジョン放送やＢＳディジタルテレビジョン放送により送信されるようにしても良い。
【０２１０】
さらに上述した第１及び第２の実施の形態で述べた情報処理装置１、情報表示端末２２、情報処理装置１５０に限らず、本発明は、パーソナルコンピュータや携帯電話機、ＰＤＡ（Personal Digital Assistance）などの情報処理装置、また携帯型音楽再生装置、据置型の音楽再生装置などの再生装置、さらにＤＶＤレコーダやハードディスクレコーダなどの記録再生装置などのように、種々の構成の情報表示装置に広く適用することができる。
【０２１１】
さらに上述した第１及び第２の実施の形態で述べた情報提供装置２、情報提供装置２１に限らず、本発明は、パーソナルコンピュータやサーバなど、種々の情報処理装置に広く適用することができる。
【産業上の利用可能性】
【０２１２】
本発明は、種々の提示情報をユーザに提示する種々の情報処理装置に利用することができる。
【図面の簡単な説明】
【０２１３】
【図１】第１の実施の形態の概念となる情報処理装置の構成を示す略線図である。
【図２】第１の実施の形態の具体例となる情報提供表示システムの構成を示す略線図である。
【図３】表示内容を変更しない場合のアルバム紹介画面を示す略線図である。
【図４】ＸＭＬ形式による構成情報を示す略線図である。
【図５】構成情報の構造を示す略線図である。
【図６】全ての提示情報を変更した場合のアルバム紹介画面を示す略線図である。
【図７】背景コンポーネントの代替の説明に供する略線図である。
【図８】リンクが設定された画像コンポーネントの代替の説明に供する略線図である。
【図９】リンクが設定された構成情報の構成を示す略線図である。
【図１０】変更しない場合のリンク画像を示す略線図である。
【図１１】代替されたリンク画像を示す略線図である。
【図１２】代替リンクページの表示を示す略線図である。
【図１３】メンバー画面を示す略線図である。
【図１４】エイリアス定義を有する構成情報を示す略線図である。
【図１５】提示処理能力値の算出の説明に供する略線図である。
【図１６】ユーザによる表示速度係数の設定の説明に供する略線図である。
【図１７】提示情報単位での変更判断の説明に供する略線図である。
【図１８】表示画面データ単位での変更判断の説明に供する略線図である。
【図１９】構成情報の受信時に提示処理能力値を算出する場合の表示画面データ生成処理手順の説明に供するシーケンスチャートである。
【図２０】提示情報単位での変更判断処理による表示内容決定処理手順の説明に供するフローチャートである。
【図２１】表示画面データ単位での変更判断処理による表示内容決定処理手順の説明に供するフローチャートである。
【図２２】一定期間ごとに提示処理能力値を算出する場合の表示画面データ生成処理手順の説明に供するシーケンスチャートである。
【図２３】提示処理能力値を逐次算出する場合の表示画面データ生成処理手順の説明に供するシーケンスチャートである。
【図２４】逐次算出される提示処理能力値を用いた変更判断処理による表示内容決定処理手順の説明に供するシーケンスチャートである。
【図２５】表示内容再決定処理手順の説明に供するシーケンスチャートである。
【図２６】第２の実施の形態による情報提供装置の回路構成を示す略線図である。
【図２７】第２の実施の形態による情報処理装置の回路構成を示す略線図である。
【符号の説明】
【０２１４】
１、２０……情報提供表示システム、２、２１、１１０……情報提供装置、３、１００……情報処理装置、１１……能力計測部、１２……受信部、１３……決定部、２２……情報表示端末、２７……制御部、２８……操作部、２９……送信部、３０……受信部、３１……データ記憶部、３２……送信部、４１……受信部、４４……再生部、４７……表示画面データ生成部。
【図１】
2008176649.tif 000003
【図２】
2008176649.tif 000004
【図３】
2008176649.tif 000005
【図４】
2008176649.tif 000006
【図５】
2008176649.tif 000007
【図６】
2008176649.tif 000008
【図７】
2008176649.tif 000009
【図８】
2008176649.tif 000010
【図９】
2008176649.tif 000011
【図１０】
2008176649.tif 000012
【図１１】
2008176649.tif 000013
【図１２】
2008176649.tif 000014
【図１３】
2008176649.tif 000015
【図１４】
2008176649.tif 000016
【図１５】
2008176649.tif 000017
【図１６】
2008176649.tif 000018
【図１７】
2008176649.tif 000019
【図１８】
2008176649.tif 000020
【図１９】
2008176649.tif 000021
【図２０】
2008176649.tif 000022
【図２１】
2008176649.tif 000023
【図２２】
2008176649.tif 000024
【図２３】
2008176649.tif 000025
【図２４】
2008176649.tif 000026
【図２５】
2008176649.tif 000027
【図２６】
2008176649.tif 000028
【図２７】
2008176649.tif 000029